(57)【要約】【課題】格安料金での電話通話、ＴＶ電話通話等の通信と、ストリーミングによる画像表示と共にその記録のＣＤ・ＤＶＤ録画ができるインターネット通信・配信システムを提供する。【解決手段】インターネットカフェサイト等の利用者端末接続拠点にＩＰ通信回線を利用した格安料金のＩＰ電話やＴＶ電話等の利用者端末を設置し、プリペイドカードを利用して容易にその利用ができるシステムとして、同時にそのカフェサイトにおいてＡＤＳＬ程度の広帯域回線を用いて、利用者が選択したビデオ画像を表示し、さらにＤＶＤに記録することもできるストリーミングサービスを行う。【選択図】図１
2007081757.tif 000002
【特許請求の範囲】
【請求項１】
インターネットを経由して利用者端末よりＩＰ通信要求を受付け該利用者端末とそのセッションを確立してＩＰ通信先の利用者端末との通信サービスを仲介するＳＩＰサーバと、
利用者端末より要求された音楽・ビデオ画像をデータベースから選択しインターネットを経由して要求元の利用者端末へＶＯＤによるストリーミング通信サービスを行うストリーミングサーバと、
前記ＳＩＰサーバ及びストリーミングサーバによる通信サービスの利用者認証と課金管理を行うセンタ管理コンピュータと、
を少なくとも備えるＩＰ電話・画像サービスセンタと、
前記ＳＩＰサーバを介し不特定多数の利用者により利用時間に応じて有料となるＩＰ電話交信を可能とするＩＰ電話端末と、
前記ストリーミングサーバから要求する音楽・ビデオ画像のストリーミング信号を受信して音声・表示出力させ記録装置の記録媒体に記録させる手段を有するインターネット接続可能な画像端末と、
前記ＩＰ電話端末及び／又は画像端末である利用者端末の利用者の前記センタ管理コンピュータのセンタデータベースへの登録（ａ）、利用者の使用料金用プリペイドカード金額の入金及び前記センタ管理コンピュータと交信し利用者ＩＤ・パスワード・入金を登録させてカード番号を生成させその情報を受信することによるプリペイドカード発行（ｂ）、前記各利用者端末をＩＰ通信により利用可能とするための前記ＳＩＰサーバへの登録（ｃ）、の中、前記（ａ）、（ｂ）、及び（ｃ）の処理を少なくとも行う拠点管理コンピュータと、
を少なくとも備えるインターネット上の１箇所以上の利用者端末接続拠点と、
から構成されることを特徴とするインターネット通信・配信システム。
【請求項２】
前記ＩＰ電話・画像サービスセンタのセンタ管理コンピュータは、Ｗｅｂサーバ、アプリケーションサーバ、及び前記センタデータベースを有し、
前記センタ管理コンピュータのアプリケーションサーバは、
前記拠点管理コンピュータより利用者が利用申込みした際の利用情報を受信して前記センタデータベースに登録する拠点端末利用者登録手段と、
前記拠点端末利用者登録手段で登録された利用者が前記拠点管理コンピュータに制御されるプリペイドカード発行機の申込入力画面により申込金額を入力して現金を投入したとき、該拠点管理コンピュータからインターネットを経由して当該申込利用者と金額を受信するプリペイドカード申込受信手段と、
前記プリペイドカード申込受信手段で申込利用者からの申込を受信したとき、当該拠点利用者を前記センタデータベースと照合して当該利用者の利用者欄にプリペイド申込金額を記録する申込金額記録手段と、
申込を受付け利用者に発行しようとするプリペイドカードのカード番号を生成して当該拠点管理コンピュータへ送信するカード番号生成送信手段と、
を備えることを特徴とする請求項１に記載のインターネット通信・配信システム。
【請求項３】
前記ＳＩＰサーバは、
前記インターネット上の各利用者端末接続拠点の管理者により予め該利用者端末接続拠点に設置されたＩＰ通信を利用する前記ＩＰ電話端末又は画像端末の各利用者端末の使用を登録する際の受信データとして該利用者端末のＩＤとＩＰアドレスとを少なくとも前記センタデータベースに記録する端末情報登録手段と、
前記利用者端末接続拠点において利用者がいずれかの利用者端末を利用する際にそれら利用者端末の利用申込入力画面に少なくとも利用者情報（ＩＤ・パスワード）、プリペイドカード番号、金額、ＩＰ電話、ＴＶ電話、パソコンによるインターネット接続のホームページ検索、閲覧、データダウンロード、ストリーミングのいずれかを含む利用科目を入力させてそのデータを受信し、前記センタデータベースと照合してその利用者のプリペイドカードの使用残高が所定値以上ならばその利用者端末の使用を許可する端末使用許可手段と、
使用許可された利用者端末の前記利用科目がＩＰ電話であるとき、ＲＴＰにより通信先ＩＰ電話機と音声データを交信させるＩＰ電話機交信手段と、
使用許可された利用者端末の前記利用科目が音楽・ビデオ画像のストリーミング或はダウンロードであるとき、前記ストリーミングサーバに対して利用者が選択した音楽又はビデオ画像のストリーミング或はダウンロードを指令すると共にその出力信号を要求元の利用者端末へ送信させるストリーミング信号送信手段と、
前記利用者端末の使用が終了したとき、その課金を計算し前記センタデータベースのカード残額からその課金値を差し引き記録する端末利用課金手段と、
を備えることを特徴とする請求項１に記載のインターネット通信・配信システム。
【請求項４】
前記拠点管理コンピュータは、利用者端末接続拠点内に設けられている前記ＩＰ電話端末又は画像端末の各利用者端末についてＩＰ通信を利用してそれらの各利用者端末からその使用を登録するため、それぞれの利用者端末のＩＤとＩＰアドレスとを少なくとも前記ＩＰ電話・画像サービスセンタのＳＩＰサーバへＩＰ通信により接続して登録できる端末利用登録ボタンを備えることを特徴とする請求項１に記載のインターネット通信・配信システム。
【請求項５】
前記拠点管理コンピュータは、現金計算収納器と、プリペイドカード及び／又はレシート発券プリンタとからなる発行機、記憶装置、表示装置、入力装置、及びそれらを制御するＣＰＵから構成され、
前記センタ管理コンピュータに、ブロードバンドモデムとインターネットを介してＷｅｂブラウザにより接続し、利用者が発行機のプリペイドカード申込入力画面により利用者ＩＤ・パスワードを含む情報と申込金額とを入力し、現金投入口へ現金を投入した信号を前記ＣＰＵにより受信してその金額及び利用者情報をセンタ管理コンピュータへ送信するプリペイドカード申込利用者情報・入金値送信手段と、
前記プリペイドカード申込利用者情報・入金値送信手段による送信情報を受信したセンタ管理コンピュータによって前記利用者情報が確認され入金値が記録されてカード番号が生成され、その生成カード番号を受信した該拠点管理コンピュータのＣＰＵにより申込利用者の操作している発行機のプリンタに対してプリペイドカードの発行又はレシートの印刷出力を指令するプリペイドカード番号受信・カード発券手段と、を備えることを特徴とする請求項１に記載のインターネット通信・配信システム。
【請求項６】
前記ＩＰ電話端末は、該ＩＰ電話端末の申込入力表示画面をその表示装置に設け、利用者がその入力表示画面に利用者ＩＤ・パスワード、プリペイドカード番号、及び前記利用科目を少なくとも入力して送信ボタンを押下すれば、ＶＯＩＰ又はＩＰ電話アダプタによるＩＰパケット信号がＩＰ通信網を経由して前記ＳＩＰサーバに送信され、該ＩＰ電話端末の利用者が入力したＩＰ電話番号へ接続されてＩＰ通信を可能にすることを特徴とする請求項３に記載のインターネット通信・配信システム。
【請求項７】
前記ＩＰ電話端末は、該ＩＰ電話端末の申込表示入力画面をその表示装置に設け、利用者がその入力表示画面に利用者ＩＤ・パスワード、プリペイドカード番号、及び前記利用科目を少なくとも入力して送信ボタンを押下すれば、ＶＯＩＰ又はＩＰ電話アダプタによるＩＰパケット信号がＩＰ通信網を経由して前記ＳＩＰサーバに送信され、該利用科目がＴＶ電話の選択である場合は、該ＩＰ電話端末の利用者が入力した通信先電話番号へＶＯＩＰゲートウェイにより公衆電話回線網を経由してカメラ機能付携帯電話に接続しＴＶ電話交信を可能にすることを特徴とする請求項３に記載のインターネット通信・配信システム。
【請求項８】
前記画像端末は、該画像端末の申込入力表示画面をその表示装置に設け、利用者がその入力表示画面に利用者ＩＤ・パスワード、プリペイドカード番号、及び前記利用科目を少なくとも入力して送信ボタンを押下すれば、ＶＯＩＰ又はＩＰ電話アダプタによるＩＰパケット信号がＩＰ通信網を経由して前記ＳＩＰサーバに送信され、該利用科目が音楽・ビデオ画像の選択である場合は、前記ストリーミングサーバより受信して該画像端末の表示装置へ表示すると共に、ストリーミング受信終了時又はストリーミング表示を行いながら前記記録装置にセットされた記録媒体へ記録するストリーミング受信を可能にすることを特徴とする請求項３に記載のインターネット通信・配信システム。
【請求項９】
前記利用者端末接続拠点は、前記利用者端末からのストリーミング要求を受け付けると共に、前記ストリーミングサーバから配信される音楽・ビデオ画像のストリーミングデータを受信して記憶装置に記憶し、受信・記憶した音楽・ビデオ画像データを該利用者端末接続拠点内のネットワークに接続されたセットトップボックスを介して再配信する中継ＶＯＤサーバを備えることを特徴とする請求項１に記載のインターネット通信・配信システム。
【発明の詳細な説明】
【技術分野】
【０００１】
本発明はＩＰ電話、ＴＶ電話の交信サービスと、音楽・ビデオ画像等のストリーミング配信サービスとを享受し、各種の利用者端末を設けたインターネットカフェサイト等の利用者端末接続拠点を、ＩＰ通信回線を含むインターネット上に１箇所以上設置すると共に、それら利用者端末接続拠点に対してＩＰ電話、ＴＶ電話、画像サービスの仲介を行うサービスセンタを設置したインターネット通信・配信システムに関する。
【背景技術】
【０００２】
従来のインターネットカフェに関する運営或いは管理方法の発明としては、例えば特許文献１のように、インターネットカフェ店舗２０１を、インターネット端末２０２、その管理端末２０３、及びインターネット２０５を介した管理サーバ２０４とから構成したものがある。しかし、これらのインターネットカフェではＩＰ（Ｉｎｔｅｒｎｅｔ  Ｐｒｏｔｏｃｏｌ）通信に関する構成は考えられていなかった。
【０００３】
（１）ＩＰ通信回線を利用するＩＰ電話は、従来の電話使用料に対して格安となり、インターネットカフェに設置する端末として店舗内に複数台設置することは、その運営上重要な事項と考えられ、そのＩＰ電話の使用料を無料にして運用することも戦略的に有用であると考えられる。
（２）また、従来のインターネットカフェでは、その中に設置したインターネット電話ソフト付きパソコン（パーソナルコンピュータ）からＩＰ通信回線、公衆電話回線を経由してＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を用いたカメラ付携帯電話とＴＶ（ＴｅｌｅＶｉｓｉｏｎ）電話交信をすることは考えられていなかった。
（３）さらに、インターネットカフェに設置したパソコン等から複数のインターネットカフェを管理するセンタに対して利用者の要求するビデオ画像をストリーミング（ｓｔｒｅａｍｉｎｇ）により取得し、例えば、表示させながらそのデータをＤＶＤ（Ｄｉｇｉｔａｌ  Ｖｅｒｓａｔｉｌｅ  Ｄｉｓｃ）等の記録媒体に書き込む等、特に広帯域バンドを必要としない伝送方法のＡＤＳＬ（Ａｓｙｍｍｅｔｒｉｃ  Ｄｉｇｉｔａｌ  Ｓｕｂｓｃｒｉｂｅｒ  Ｌｉｎｅ）程度の画像通信システムについて利用することは、従来のインターネットカフェでは考えられていなかった。
【０００４】
【特許文献１】特開２００３−３０５４９号公報（第３頁、図２）
【発明の開示】
【発明が解決しようとする課題】
【０００５】
本発明は、前述の問題点（１）、（２）、及び（３）を考慮したインターネットカフェサイト等の複数からなる利用者端末接続拠点にＩＰ電話、ＴＶ電話、及び画像配信サービスを享受する利用者端末を設け、ＩＰ電話サービス、ストリーミング画像配信サービス等を行うサービスセンタと接続して、これらのサービスを享受するようにしたインターネット通信・配信システムを提供することを目的とする。
【課題を解決するための手段】
【０００６】
上記課題を解決するため、本発明のインターネット通信・配信システムは、インターネットを経由して利用者端末よりＩＰ通信要求を受付け該利用者端末とそのセッションを確立してＩＰ通信先の利用者端末との通信サービスを仲介するＳＩＰサーバと、利用者端末より要求された音楽・ビデオ画像をデータベースから選択しインターネットを経由して要求元の利用者端末へＶＯＤによるストリーミング通信サービスを行うストリーミングサーバと、前記ＳＩＰサーバ及びストリーミングサーバによる通信サービスの利用者認証と課金管理を行うセンタ管理コンピュータと、を少なくとも備えるＩＰ電話・画像サービスセンタと、
前記ＳＩＰサーバを介し不特定多数の利用者により利用時間に応じて有料となるＩＰ電話交信を可能とするＩＰ電話端末と、前記ストリーミングサーバから要求する音楽・ビデオ画像のストリーミング信号を受信して音声・表示出力させ記録装置の記録媒体に記録させる手段を有するインターネット接続可能な画像端末と、前記ＩＰ電話端末及び／又は画像端末である利用者端末の利用者の前記センタ管理コンピュータのセンタデータベースへの登録（ａ）、利用者の使用料金用プリペイドカード金額の入金及び前記センタ管理コンピュータと交信し利用者ＩＤ・パスワード・入金を登録させてカード番号を生成させその情報を受信することによるプリペイドカード発行（ｂ）、前記各利用者端末をＩＰ通信により利用可能とするための前記ＳＩＰサーバへの登録（ｃ）、の中、前記（ａ）、（ｂ）、及び（ｃ）の処理を少なくとも行う拠点管理コンピュータと、を少なくとも備えるインターネット上の１箇所以上の利用者端末接続拠点と、から構成されることを特徴とする。
【０００７】
また、前記ＩＰ電話・画像サービスセンタのセンタ管理コンピュータは、Ｗｅｂサーバ、アプリケーションサーバ、及び前記センタデータベースを有し、
前記センタ管理コンピュータのアプリケーションサーバは、前記拠点管理コンピュータより利用者が利用申込みした際の利用情報を受信して前記センタデータベースに登録する拠点端末利用者登録手段と、前記拠点端末利用者登録手段で登録された利用者が前記拠点管理コンピュータに制御されるプリペイドカード発行機の申込入力画面により申込金額を入力して現金を投入したとき、該拠点管理コンピュータからインターネットを経由して当該申込利用者と金額を受信するプリペイドカード申込受信手段と、前記プリペイドカード申込受信手段で申込利用者からの申込を受信したとき、当該拠点利用者を前記センタデータベースと照合して当該利用者の利用者欄にプリペイド申込金額を記録する申込金額記録手段と、申込を受付け利用者に発行しようとするプリペイドカードのカード番号を生成して当該拠点管理コンピュータへ送信するカード番号生成送信手段と、を備えることを特徴とする
また、前記ＳＩＰサーバは、前記インターネット上の各利用者端末接続拠点の管理者により予め該利用者端末接続拠点に設置されたＩＰ通信を利用する前記ＩＰ電話端末又は画像端末の各利用者端末の使用を登録する際の受信データとして該利用者端末のＩＤとＩＰアドレスとを少なくとも前記センタデータベースに記録する端末情報登録手段と、前記利用者端末接続拠点において利用者がいずれかの利用者端末を利用する際にそれら利用者端末の利用申込入力画面に少なくとも利用者情報（ＩＤ・パスワード）、プリペイドカード番号、金額、ＩＰ電話、ＴＶ電話、パソコンによるインターネット接続のホームページ検索、閲覧、データダウンロード、ストリーミングのいずれかを含む利用科目を入力させてそのデータを受信し、前記センタデータベースと照合してその利用者のプリペイドカードの使用残高が所定値以上ならばその利用者端末の使用を許可する端末使用許可手段と、使用許可された利用者端末の前記利用科目がＩＰ電話であるとき、ＲＴＰにより通信先ＩＰ電話機と音声データを交信させるＩＰ電話機交信手段と、使用許可された利用者端末の前記利用科目が音楽・ビデオ画像のストリーミング或はダウンロードであるとき、前記ストリーミングサーバに対して利用者が選択した音楽又はビデオ画像のストリーミング或はダウンロードを指令すると共にその出力信号を要求元の利用者端末へ送信させるストリーミング信号送信手段と、前記利用者端末の使用が終了したとき、その課金を計算し前記センタデータベースのカード残額からその課金値を差し引き記録する端末利用課金手段と、を備えることを特徴とする。
【０００８】
また、前記拠点管理コンピュータは、利用者端末接続拠点内に設けられている前記ＩＰ電話端末又は画像端末の各利用者端末についてＩＰ通信を利用してそれらの各利用者端末からその使用を登録するため、それぞれの利用者端末のＩＤとＩＰアドレスとを少なくとも前記ＩＰ電話・画像サービスセンタのＳＩＰサーバへＩＰ通信により接続して登録できる端末利用登録ボタンを備えることを特徴とする。
また、前記拠点管理コンピュータは、現金計算収納器と、プリペイドカード及び／又はレシート発券プリンタとからなる発行機、記憶装置、表示装置、入力装置、及びそれらを制御するＣＰＵから構成され、
前記センタ管理コンピュータに、ブロードバンドモデムとインターネットを介してＷｅｂブラウザにより接続し、利用者が発行機のプリペイドカード申込入力画面により利用者ＩＤ・パスワードを含む情報と申込金額とを入力し、現金投入口へ現金を投入した信号を前記ＣＰＵにより受信してその金額及び利用者情報をセンタ管理コンピュータへ送信するプリペイドカード申込利用者情報・入金値送信手段と、前記プリペイドカード申込利用者情報・入金値送信手段による送信情報を受信したセンタ管理コンピュータによって前記利用者情報が確認され入金値が記録されてカード番号が生成され、その生成カード番号を受信した該拠点管理コンピュータのＣＰＵにより申込利用者の操作している発行機のプリンタに対してプリペイドカードの発行又はレシートの印刷出力を指令するプリペイドカード番号受信・カード発券手段と、を備えることを特徴とする。
また、前記ＩＰ電話端末は、該ＩＰ電話端末の申込入力表示画面をその表示装置に設け、利用者がその入力表示画面に利用者ＩＤ・パスワード、プリペイドカード番号、及び前記利用科目を少なくとも入力して送信ボタンを押下すれば、ＶＯＩＰ又はＩＰ電話アダプタによるＩＰパケット信号がＩＰ通信網を経由して前記ＳＩＰサーバに送信され、該ＩＰ電話端末の利用者が入力したＩＰ電話番号へ接続されてＩＰ通信を可能にすることを特徴とする。
また、前記ＩＰ電話端末は、該ＩＰ電話端末の申込表示入力画面をその表示装置に設け、利用者がその入力表示画面に利用者ＩＤ・パスワード、プリペイドカード番号、及び前記利用科目を少なくとも入力して送信ボタンを押下すれば、ＶＯＩＰ又はＩＰ電話アダプタによるＩＰパケット信号がＩＰ通信網を経由して前記ＳＩＰサーバに送信され、該利用科目がＴＶ電話の選択である場合は、該ＩＰ電話端末の利用者が入力した通信先電話番号へＶＯＩＰゲートウェイにより公衆電話回線網を経由してカメラ機能付携帯電話に接続しＴＶ電話交信を可能にすることを特徴とする。
また、前記画像端末は、該画像端末の申込入力表示画面をその表示装置に設け、利用者がその入力表示画面に利用者ＩＤ・パスワード、プリペイドカード番号、及び前記利用科目を少なくとも入力して送信ボタンを押下すれば、ＶＯＩＰ又はＩＰ電話アダプタによるＩＰパケット信号がＩＰ通信網を経由して前記ＳＩＰサーバに送信され、該利用科目が音楽・ビデオ画像の選択である場合は、前記ストリーミングサーバより受信して該画像端末の表示装置へ表示すると共に、ストリーミング受信終了時又はストリーミング表示を行いながら前記記録装置にセットされた記録媒体へ記録するストリーミング受信を可能にすることを特徴とする。
また、前記利用者端末接続拠点は、前記利用者端末からのストリーミング要求を受け付けると共に、前記ストリーミングサーバから配信される音楽・ビデオ画像のストリーミングデータを受信して記憶装置に記憶し、受信・記憶した音楽・ビデオ画像データを該利用者端末接続拠点内のネットワークに接続されたセットトップボックスを介して再配信する中継ＶＯＤサーバを備えることを特徴とする。
【発明の効果】
【０００９】
本発明によれば、インターネットカフェをはじめとして、リラクゼーションルームや美容室等での休憩や待合いの際に音楽やビデオ映像を利用できるようにＩＰ電話や画像端末等の利用者端末を設置することにより、利用者は休憩時間等を利用して格安の電話料或いは無料でＩＰ電話を利用することができるだけでなく、自宅がＩＰ電話契約を結んでいない利用者等も、本発明によるインターネットカフェ等に出向くことによりＩＰ電話による格安通話を享受することができる。
また、インターネットカフェ等に設置されたインターネット電話ソフトを備えたパソコンで実現したパソコンＩＰ端末から、外部のＣＣＤカメラ付携帯電話等に接続し、格安でＴＶ電話交信を利用することもできる。
さらに、インターネットカフェ等に設置されたパソコン利用の画像端末からＡＤＳＬモデム等を介して単なるストリーミングやダウンロードだけでなく、表示装置にビデオ画像を表示させながら、ＤＶＤにそのビデオ画像を記録することも可能になり、ＡＤＳＬモデムや市販の一般的なパソコン等の使用により比較的低価格で、ビデオ画像等を収録したＤＶＤを取得することができる。
【００１０】
一方、インターネットカフェ等のシステム運営側は、格安でのＩＰ回線使用料を集客に利用し、有料でのシステム運営が可能となる。また、ＳＩＰ（Ｓｅｓｓｉｏｎ  Ｉｎｉｔｉａｔｉｏｎ  Ｐｒｏｔｏｃｏｌ）サーバを介して、利用者の認証・課金を効率的に行うことができる。
【発明を実施するための最良の形態】
【００１１】
本発明のインターネット通信・配信システムの一実施例を、図を参照して以下に説明する。
図１は、インターネット通信・配信システムの一実施例としてインターネットカフェに適用した構成図である
ここで２０は、不特定多数の利用者に利用時間に応じて有料となるテーブル付の座席にインターネット及びＩＰ通信網を使用して各種の交信ができる利用者端末を含む各種端末が設置されたインターネットカフェ（利用者端末接続拠点：カフェ店舗）サイトを示す。図１ではこのようなカフェ店舗（Ａ）、（Ｂ）、（Ｃ）…のサイトが複数インターネット（ＩＰ通信網）９の上に配設されていることを示す。
利用者端末としての各種ＩＰ端末は、図１の実施例では、専用のハードウェアとソフトウェアにより構成されたＩＰ電話端末３１、市販のパソコン及びＩＰ電話用のソフトウェアを用いてＩＰ電話機能を実現するパソコンＩＰ端末４１、及び音楽・ビデオ画像データを受信するパソコン画像端末５１からなる。インターネットカフェ２０内は、これらの各種ＩＰ端末３１、４１、５１とカフェ管理コンピュータ（拠点管理コンピュータ）２１とから構成される。
【００１２】
一方、１０は、インターネットカフェ（Ａ）、（Ｂ）、（Ｃ）…の利用者端末からのアクセス信号をインターネット経由で受信し、ＩＰ電話交信の通信先との接続を行うＩＰ電話接続サービスと、各インターネットカフェ（Ａ）、（Ｂ）、（Ｃ）…に来店した利用者が使用するプリペイドカードの発行をカフェ管理コンピュータ２１に対してインターネット９を経由して制御すると共に、そのカード番号を生成してセンタデータベースに登録するカード発行サービスと、パソコン画像端末５１に対して、音楽・ビデオ画像（音声、静止画像、動画像、アニメーション等も含むオーディオ・ビジュアル情報）を表示・出力しながらＣＤ、ＤＶＤにそのデータを記録させるストリーミング（ｓｔｒｅｍｉｎｇ）サービスと、さらに利用者への各サービスを実行するに際してその認証と課金とを行うＩＰ電話・画像サービスセンタである。
【００１３】
図１の実施例では、ＩＰ電話・画像サービスセンタ１０は、センタ管理コンピュータ１１、ＳＩＰ（Ｓｅｓｓｉｏｎ  Ｉｎｉｔｉａｔａｉｏｎ  Ｐｒｏｔｏｃｏｌ）サーバ１５、ストリーミングサーバ１６、及び音楽・ビデオ画像ソフトを蓄積したデータベース１７より構成され、センタ管理コンピュータ１１は、Ｗｅｂサーバ１２、アプリケーションサーバ１３、センタデータベース１４より構成される。アプリケーションサーバ１３は主として利用者の認証・課金等を行うためのプログラムを備える。
【００１４】
次に、図１に示すインターネットカフェ２０において利用者が利用する各利用者端末３１、４１、５１について説明する。
ＩＰ電話端末３１は、液晶表示部、ボタン入力部等のある多機能電話３２とそれに接続するＶＯＩＰ（Ｖｏｉｃｅ  Ｏｖｅｒ  ＩＰ）アダプタ３３（ＩＰ電話アダプタ）、或は、複数の多機能電話をブランチするＩＰ−ＰＢＸ３３より構成され、例えば、ＩＰ−ＰＢＸ或はＶＯＩＰアダプタ６１と多機能電話及びインターネット電話ソフトを有するパソコンＩＰ端末６２とを備えた企業又は個人のコンピュータシステム６０とＩＰ通信ができる。
【００１５】
パソコンＩＰ端末４１は、インターネット電話ソフト４２ｂを備えた市販のパソコン４２と、ＶＯＩＰアダプタ或はＩＰ−ＰＢＸ４３を接続したＩＰ電話端末であり、前述のようなＩＰ電話交信ができる。
さらに、パソコン４２にＣＣＤ等のビデオカメラ４２ａを設ければ、図１に示すようにインターネット９、ＶＯＩＰゲートウェイ８、公衆電話回線網７を経由してＣＣＤやＣＭＯＳによるビデオカメラ８１を備えた携帯電話８０とＴＶ電話交信ができる。
利用者が、これらのＩＰ電話端末３１、パソコンＩＰ端末４１を利用したいときは、それぞれＩＰ端末３１、４１に設けられた表示部に表示されている申込入力表示画面を参照し、入力装置（キーボード又はキーボタン）から、画面に表示されている入力項目に順次入力していく。
【００１６】
利用者は各自のＩＤ・パスワードとプリペイドカード番号及び利用者端末の利用科目を入力するように要求される。ここで、利用者は予めプリペイドカードを現金で購入する必要がある。この購入に関しては後述する。
各利用者端末から利用者が申込入力表示画面に従い必要事項を入力して送信キーをクリックすればＩＰパケット信号が送出され、インターネット（ＩＰ通信網）９を経由してＩＰ電話・画像サービスセンタ１０へその情報が送信され、ＳＩＰサーバ１５によりその通信先へ接続されてＩＰ電話交信が開始される。
【００１７】
パソコン画像端末５１は、市販のパソコンに必要なハードウェアとソフトウェアを付加したものであり、音楽・ビデオ画像を表示・出力する画像端末である。パソコン画像端末５１は、ＩＰ端末３１、４１と同様に、利用者が表示装置５３に表示されている申込入力表示画面を参照し入力装置５７から項目欄に指示されているデータを入力して利用することができる。
その際に、少なくとも利用者ＩＤ・パスワードとプリペイドカード番号及び該パソコン画像端末５１の利用科目（例えばストリーミング・ダウンロード選択、及びそのビデオ画像ソフトの選択）を入力して送信キーをクリックすれば、そのアクセス信号はＶＯＩＰアダプタ５６を介してＩＰ電話・画像サービスセンタ１０のＳＩＰサーバ１５へ送信され、ＳＩＰサーバ１５よりストリーミングサーバ１６へ利用科目を指示し、パソコン画像端末５１へそのビデオ画像が送信される。尚、本発明及びその実施形態ではＳＩＰサーバ１５にストリーミングサーバに対する管理機能を持たせているが、アプリケーションサーバ１３にその機能を持たせてもよいし、専用のマネジメントサーバを用意してもよい。
【００１８】
パソコン画像端末５１から入力された利用科目がストリーミングであれば、パソコン画像端末５１は、ＩＰ電話・画像サービスセンタ１０との交信により、その信号を受信して表示装置５３に選択したビデオ画面を表示すると共に、ＣＤ・ＤＶＤ記録装置５２にセットされたＤＶＤ記録媒体へビデオ信号に同期したタイミングで記録する。ストリーミングデータは記憶装置５５にも蓄積されるので受信終了時にＤＶＤ記録媒体へ記録することもできる。
ストリーミングデータは、ＡＤＳＬモデム及びブロードバンドルータ５９とインターネット９を介してストリーミングサーバ１６より受信する。
【００１９】
次に、カフェ管理コンピュータ２１について、より詳細にその実施形態について述べる。
図２に示すように、カフェ管理コンピュータ２１は、現金収納器２２ａとプリペイドカード及び／又はレシート発券印刷プリンタ２２ｂを少なくとも含む発行機２２と、記憶装置２４と、入力装置２５と、表示装置２６と、これらを制御する中央制御部ＣＰＵ２３とから構成されている。
カフェ管理コンピュータ２１は、インターネット９に接続されたＡＤＳＬモデム２９を介してデータの送受信を行う。ＡＤＳＬモデム２９は、パソコン画像端末５１との接続に使用しているＡＤＳＬモデム及びブロードバンドルータ５９と共通な装置としても良い。また、インターネット９の接続はＡＤＳＬに限らずＦＴＴＨ（Ｆｉｂｅｒ  Ｔｏ  Ｔｈｅ  Ｈｏｍｅ）やケーブル通信網を利用することも可能なことは勿論である。
【００２０】
利用者が発行機２２に設けられた入力画面２２ｃから直接プリペイドカード申込を行うことができるように発行機２２にタッチパネル式液晶表示装置を設け、その画面に表示したキー等により選択内容を選択できるようにしてもよいし、或は、そのプリペイドカード申込入力画面用の独立したキーを設けてもよい。
いずれにしても、利用者ＩＤ・パスワードを含む情報と、申込金額とを入力し、現金投入口へ現金を投入すれば、現金収納器２２ａは自動的に投入金額と申込金額とを照合し、照合結果が一致すればその信号をＣＰＵ２３に送信する。
【００２１】
プリペイドカード申込利用者情報・入金値送信手段２３ａは、ＣＰＵ２３が利用者情報と申込金額を発行機２２より受信し、これを受けて自動的にセンタ管理コンピュータ１１へ送信する手段である。
センタ管理コンピュータ１１は、カフェ管理コンピュータ２１からの送信信号を受信してセンタデータベース１４に記録し、プリペイドカード番号を生成してインターネット９を介して送り返し、カフェ管理コンピュータ２１はそのプリペイドカード番号を受信する。
プリペイドカード番号受信・カード発券手段２３ｂは、ＣＰＵ２３がプリペイドカード番号をセンタ管理コンピュータ１１より受信すると、自動的に発行機２２へバスを経由して指令し、プリンタ２２ｂへ、その金額のプリペイドカード及び／又はレシートを発券する手段である。
【００２２】
次に、センタ管理コンピュータ１１の実施例を、図３を参照して説明する。
アプリケーションサーバ１３は、以下に示す手段１３ａ、１３ｂ、１３ｃ、１３ｄを少なくとも備える。
１３ａは、カフェ端末利用者登録手段であり、カフェ管理コンピュータ２１より利用者が入店時に利用申込みした際の利用者情報を受信してセンタデータベースに登録する手段である。
１３ｂは、プリペイドカード申込受信手段であり、利用者がカフェ管理コンピュータ２１に制御されるプリペイドカード発行機２２の申込入力画面２２ｃにより、その申込金額を入力し、その現金を投入したときに、そのカフェ管理コンピュータ２１からインターネット９を介して、その申込利用者を特定する情報とカードの金額とを受信する手段である。
１３ｃは、申込金額記録手段であり、プリペイドカード申込受信手段１３ｂにより申込みを受信したときに、そのカフェ利用者をセンタデータベース１４と照合し、その利用者欄にプリペイドカード申込金額、日時等を記録する手段である。
１３ｄは、カード番号生成送信手段であり、申込利用者へ発行するプリペイドカードのカード番号を生成し、当該カフェ管理コンピュータ２１へ送信する手段である。
【００２３】
次に、ＳＩＰサーバ１５のより詳細な実施形態を、図４を参照して説明する。
認証手続きを受けたＳＩＰサーバ１５は、以下に示す手段１５ａ、１５ｂ、１５ｃ、１５ｄ、１５ｅを少なくとも備える。
１５ａは、端末情報登録手段であり、インターネット９上の各インターネットカフェ（Ａ）、（Ｂ）、（Ｃ）…のカフェ店舗に設置されたＩＰ電話端末３１、パソコンＩＰ端末４１、パソコン画像端末５１を利用する際は、予め管理者によって、それぞれの利用者端末毎に、その使用を登録（Ｒｅｇｉｓｔｅｒ）する必要があり、その時の受信データとして各利用者端末情報（ＩＤ）とＩＰアドレスとを少なくともセンタデータベース１４に記録登録する手段である。
その際の受信データは、図１に示すように、各ＩＰ端末３１、４１、５１にある端末利用登録ボタン３８、４８、５８を管理者が押下したときに自動的に送信されるようにしてもよい。登録処理後の利用者登録ボタンは非アクティブ状態となる。
【００２４】
５１ｂは、端末使用許可手段であり、インターネットカフェ２０において、利用者がいずれかの利用者端末３１、４１、５１を利用し、それらの利用者端末３１、４１、５１の表示装置或は表示部に表示させた利用申込入力表示画面上で、その項目欄に従って利用者情報（ＩＤ、パスワードを少なくとも含む）、プリペイドカード番号・金額、ＩＰ電話、ＴＶ電話、インターネット接続による各ホームページ閲覧・検索、データダウンロード、ストリーミングを含む利用科目を入力することにより、そのデータを受信してセンタデータベース１４と照合し、その利用者のプリペイドカードの使用残額が所定値以上（利用科目により予め使用する料金の平均一覧表ファイルと比較して所定値を予め定める）ならば、その利用者端末３１、４１、５１の使用を許可し、次の段階に進める手段である。なお、利用する利用者端末３１、４１、５１に応じて当然利用できない利用科目がある。
【００２５】
１５ｃは、ＩＰ電話機交信手段であり、端末使用許可手段１５ｂにより使用許可された利用者端末３１、４１の利用科目がＩＰ電話であるときは、ＲＴＰ（Ｒｅａｌ−Ｔｉｍｅ  Ｔｒａｎｓｐｏｒｔ  Ｐｒｏｔｏｃｏｌ）により通信先ＩＰ電話機（企業又は個人のコンピュータ６０）と音声データ交信させる手段である。
１５ｄは、ストリーミング信号送信手段であり、端末使用許可手段１５ｂにより使用許可されたパソコン画像端末５１の利用科目が音楽・ビデオ画像のストリーミング或はダウンロードであるときは、ストリーミングサーバ１６に対して、ＶＯＤ（Ｖｉｄｅｏ  Ｏｎ  Ｄｅｍａｎｄ）により利用者が選択した音楽又はビデオ画像のストリーミング或はダウンロードを指令すると共に、その出力信号を要求元のパソコン画像端末５１へ送信する手段である。
１５ｅは、端末利用課金計算手段であり、ＩＰ電話機交信手段１５ｃ、ストリーミング信号送信手段１５ｄによるＩＰ端末の使用が終了したときは、その課金を計算し、センタデータベース１４に記録されているプリペイドカード使用残額から、計算した今回の課金値を差し引き、その日時と共に記録する手段である。
【００２６】
次に、利用者がインターネットカフェ２０において、その利用者が利用者端末３１、４１、５１を使用する際の、システムの動作の流れを以下に説明する。
先ず、これらのカフェ店舗の管理者は、予めその店内の利用者端末３１、４１、５１が認証手続きを受けるＳＩＰサーバ１５に対して各利用者端末からその端末情報（ＩＤ、ＩＰアドレス）を登録しておく必要がある。この登録処理は、前述したように各利用者端末に設けた端末利用登録ボタン３８、４８、５８を押下することで、ＳＩＰサーバ１５に登録することができる。
ＳＩＰサーバ１５は、そのＩＤとＩＰアドレスの端末情報をデータベースに記録登録する（カフェ端末利用者登録手段１３ａ）。
【００２７】
次に、各カフェ店舗へ来店した利用者は、もし利用者端末３１、４１、５１のいずれかを利用し、それが有料の場合には、予めプリペイドカードをそのカフェ店舗の発行機２２から購入する必要がある。
その場合に、利用者は図２に示すように、発行機２２の入力画面２２ｃから利用者情報（氏名・ＩＤ、パスワード等）と購入金額を入力し、その金額を現金収納器２２ａに投入し、確認ボタンを押下する。
【００２８】
カフェ管理コンピュータ２１の中央制御装置であるＣＰＵ２３は、バスを介して確認ボタン信号を読み込み入力購入金額と投入金額が一致したら、利用者情報とその購入金額値を、ＡＤＳＬモデム２９を介しインターネット９を経由してＩＰ電話・画像サービスセンタ１０のセンタ管理コンピュータ１１へ送信する（プリペイドカード申込利用者情報・入金値送信手段２３ａ）。
【００２９】
ＩＰ電話・画像サービスセンタ１０のセンタ管理コンピュータ１１のＷｅｂサーバ１２は、その利用者情報と購入金額値を受信し、そのデータをセンタデータベース１４と照合し、アプリケーションサーバ１３に利用者情報を確認させて、センタデータベース１４に記録させる（プリペイドカード申込受信手段１３ｂ、申込金額記録手段１３ｃ）。
アプリケーションサーバ１３は、その利用者のプリペイドカードに記載するカード番号を自動生成して、当該カフェ管理コンピュータ２１へ返信する（カード番号生成送信手段１３ｄ）。
【００３０】
カフェ管理コンピュータ２１のＣＰＵ２３は、プリペイドカード番号をインターネット９を介して受信し、そのプリペイドカード番号を発行機２２のプリンタ２２ｂへ送り、そのカード番号のプリペイドカードの発券を指令する（プリペイドカード番号受信・カード発券手段２３ｂ）。
カード発券機２２は、そのカード番号のプリペイドカードを発券（及び／又はレシートを発券）し、利用者はそのプリペイドカード（及び／又はレシート）を取得する。
【００３１】
利用者がＩＰ電話端末を使用するときの動作の流れは以下のようになる。
利用者は、最初に多機能電話機３２に設けられた液晶表示部に表示されている申込入力画面の項目欄に沿って利用者情報、プリペイドカード番号、利用科目等を入力して送信ボタンを押下する。或は、多機能電話機３２に設けられた各種機能キーを使用して、利用者ＩＤ・パスワード、プリペイドカード番号、利用科目を入力して送信ボタンを押下してもよい。いずれにしてもＩＰパケット信号が送信される。
【００３２】
ここで「利用科目」とはＩＰ電話、パソコンによるインターネット接続のホームページ閲覧・検索、データダウンロード、ストリーミング等であるが、ＩＰ電話端末３１を使用するときは、自動的に利用科目がＩＰ電話に限られる。即ち、利用科目でＩＰ電話以外の入力は受付けない。また、ＩＰ電話、ＴＶ電話を選択したときは、その通信先の電話番号も入力するようにシステム画面から要求される。
【００３３】
ＳＩＰサーバ１５はそのＩＰパケット信号を受信して、その利用者情報、プリペイドカード番号、利用科目を受付け、センタデータベース１４と照合して、その利用者のプリペイドカード使用残額が所定値以上ならば、そのＩＰ電話端末３１の使用を許可する（端末使用許可手段１５ｂ）。
なお、課金の際の所定値は利用科目ごとに定めるが、利用者端末がＩＰ電話端末３１の場合は無料としてもよい。
ＳＩＰサーバ１５は、端末使用許可手段１５ｂにより許可となれば、指定電話番号の通信先とセッションの確立を行い、セッションの終了まで交信させる（ＩＰ電話機交信手段１５ｃ）。
【００３４】
次に、利用者がパソコンＩＰ端末４１を使用する場合は、そのパソコン４２の表示装置に表示されている申込入力画面の項目欄に沿ってそれぞれデータを入力する。前述したように、利用者情報（ＩＤ・パスワード）、プリペイドカード番号、利用科目を入力する。なお、パソコンＩＰ端末４１の場合の利用科目は、ＩＰ電話、ＴＶ電話のいずれかを選択することとなる（端末情報登録手段１５ａ）。
【００３５】
ＴＶ電話を選択したときは自動的にその通信先電話番号を入力するように要求されるが、その通信先は、図１に示すようなＣＣＤビデオカメラ８１付携帯電話８０等である必要がある。ＳＩＰサーバ１５はセッションの確立をＩＰ電話端末３１の場合と同様に行うが、図１の実施形態ではＶＯＩＰゲートウェイ８を介し公衆電話回線網７を経由してカメラ付携帯電話８０と接続している。
【００３６】
利用者がパソコン画像端末５１を使用する場合は、そのパソコンの表示装置５３に表示されている申込入力画面の項目欄に沿ってそれぞれデータを入力する。前述したように、利用者情報、プリペイドカード番号、利用科目等を入力して送信ボタンを押下する。
パソコン画像端末５１で実行できる利用科目はパソコンによるインターネット接続のホームページ閲覧・検索、データダウンロード、ストリーミング等がある。
【００３７】
ＳＩＰサーバ１５は、その利用科目が音楽・ビデオ画像のストリーミング或はダウンロードであるときは、ストリーミングサーバ１６に対して、ＶＯＤにより利用者が選択した音楽・ビデオ画像のストリーミング或はダウンロードを指令すると共に、その出力信号を要求元のパソコン画像端末５１へ送信させる（ストリーミング信号送信手段１５ｄ）。
【００３８】
パソコン画像端末５１は、その音楽・ビデオ画像信号を受信するが、その信号がストリーミングであるときは表示装置に表示させると共にＣＤ・ＤＶＤをセットした記録装置でそのデータを記録し、ダウンロードの場合はストリーミング終了後にそのデータを記録する。
【００３９】
これらの利用者端末３１、４１、５１で利用が終了したときは、その課金を計算し、センタデータベース１４のカード残額からその課金値を差引き、その日時と共に記録してその使用結果をカフェ管理コンピュータ２１へ送信し、発行機２２よりその結果報告と、プリペイドカードから差引いた金額のレシートを出力させる（端末利用課金計算手段１５ｅ）。
もし、プリペイドカードで料金が不足すれば、そのレシートをカフェ管理者が利用者に示してテーブル付座席の利用時間料金と共に、その不足料金を請求することができる。
【００４０】
最後に、音楽・ビデオ画像を受信するパソコン画像端末５３に代わる他の実施形態について図５を参照して説明する。
インターネットカフェ２０は、図５に示すような中継ＶＯＤサーバとセットトップボックスを備える。
中継ＶＯＤ（Ｖｉｄｅｏ  Ｏｎ  Ｄｅｍａｎｄ）サーバ９０は、ストリーミングサーバ１６からインターネット９を介してストリーミングデータ又はダウンロードデータを受信し、インターネットカフェ２０内のＬＡＮ（Ｌｏｃａｌ  Ａｒｅａ  Ｎｅｔｗｏｒｋ）にのせてそのデータを再配信するための装置であり、ストリーミング信号として再配信するストリーミングサーバ機能９６、ＩＰ電話・画像サービスセンタ１０のストリーミングサーバ１６からインターネット９経由で受信した音楽・ビデオ画像のストリーミングデータを一旦蓄積する記憶装置９４、受信するストリーミング信号或いは中継送信（再配信）するストリーミング信号をそれぞれの通信回線に応じて適切な信号となるように処理する音声・画像コーデック（エンコーダ／デコーダ）９７を備えている。また、中継ＶＯＤサーバ９０の各種設定やＶＯＤ機能は、Ｗｅｂサーバ機能９５を介して外部に接続されたＷｅｂブラウザを搭載した端末から行うことができる。
ストリーミングサーバ機能９６、Ｗｅｂサーバ機能９５、ＬＡＮ接続のための通信制御部９８、記憶装置９４への情報の書込・読出、音声・画像コーデック９７は、ＲＯＭ９２に記録されているプログラムに沿い、一時記憶エリアＲＡＭ９３上に各種プログラムやデータが展開されてＣＰＵ９１によって制御・実行される。９９は中継サーバ９０とセットトップボックス１００とを接続するためのルータ機能を有するインターネット接続のためのＡＤＳＬモデムである。
【００４１】
インターネット上でリアルタイム性が要求されるＩＰ電話やストリーミング配信では、ＱｏＳ（Ｑｕａｌｉｔｙ  ｏｆ  Ｓｅｒｖｉｃｅ）を実現するため、ＲＴＰ（Ｒｅａｌ−ｔｉｍｅ  Ｔｒａｎｓｐｏｒｔ  Ｐｒｏｔｏｃｏｌ）やＲＴＳＰ（Ｒｅａｌ−Ｔｉｍｅ  Ｓｔｒｅａｍｉｎｇ  Ｐｒｏｔｏｃｏｌ）等のプロトコルを採用することになるが、それでも、利用する時間帯やその通信環境によって、例えば、ストリーミングデータの場合、不十分な通信帯域幅による映像のスローモーション化、こま落ち、停止、切断等の不具合現象が起きる。中継ＶＯＤサーバ９０は、この現象を克服するため、ハードディスク等の記憶装置９４を内蔵させて通信帯域幅が十分な、例えば夜間の時間帯等を利用して、音楽・ビデオ画像等のコンテンツをＩＰ電話・画像サービスセンタ１０のストリーミングサーバ１６からダウンロードしておき、多彩なコンテンツを高画質に提供しようとするものである。
【００４２】
セットトップボックス１００（Ａ）、（Ｂ）、（Ｃ）…は、中継ＶＯＤサーバから配信されるコンテンツを複数箇所で受信でき、また中継ＶＯＤサーバを介して希望するコンテンツをＩＰ電話・画像サービスセンタ１０に要求することができるように構成されている。セットトップボックス１００は、中継ＶＯＤサーバ９０から中継配信された各種コンテンツを再生・表示・出力するためのゲートウェイとして、既存のテレビ受像機やパソコン用のモニタと接続するために、種々のオーディオ／ビデオコーデックと、多様なＡＶ（Ａｕｄｉｏ  Ｖｉｓｕａｌ）入出力のインターフェースとを備え、これらのインターフェースを通してインターネット上のコンテンツを必要な時間に選択、視聴できるように構成されている。
【００４３】
セットトップボックス１００は、中継ＶＯＤサーバ９０からＬＡＮを経由して中継配信されるストリーミングデータを受信して音楽・ビデオ画像を表示・出力する。セットトップボックス１００は、受信したストリーミング信号を接続するそれぞれの再生・表示機器に応じ、或いは希望するコンテンツの品質に応じてその信号を処理する音声・画像コーデック（エンコーダ／デコーダ）１０３を備えている。また、セットトップボックス１００の各種設定やＶＯＤは、Ｗｅｂサーバ機能９５を介して行うことができ、ＵＳＢ、ＩＥＥＥ１３９４等の入出力インターフェースを介して外部に接続されたＷｅｂブラウザを搭載したパソコン端末やＴＶ受像機にその設定画面等を表示し、本体或いは接続された機器の操作ボタンや赤外線リモコン装置等によりその設定を行うことができる。
Ｗｅｂサーバ機能１０５、ＬＡＮ接続のための通信制御部１０４、音声・画像コーデック１０３、入出力インターフェース１０７は、ＲＯＭ・ＲＡＭ１０２上のプログラムエリアから一時記憶エリアに各種プログラムやデータが展開されてＣＰＵ１０１によって制御・実行される。
セットトップボックス１００が扱う信号は、オーディオ信号としてＭＰＥＧ１（Ｌａｙｅｒ１、２、３）、ＷＭＡ、ビデオ信号としてＭＰＥＧ４、ＷＭＶ９、によるコーデック、入出力信号としてはＲＣＡコンポジットビデオ、コンポーネント信号、Ｓ−Ｖｉｄｅｏ信号等、各種の信号を取り扱うことができる。
【産業上の利用可能性】
【００４４】
以上、インターネットカフェを実施形態として説明してきたが、本発明のインターネット通信・配信システムは、この形態に拘わらず、リラクゼーションルームや、美容室、病院、交通機関等の待合室で音楽やビデオ映像を享受すること、或いはＩＰ電話による双方向通信とストリーミングによるコンテンツ配信を組み合わせた通信講座、宗教法人の檀家や信者への説法等、様々な分野で利用することができる。
【図面の簡単な説明】
【００４５】
【図１】本発明のインターネット通信・配信システムの一実施例による構成図である。
【図２】図１に示すカフェ管理コンピュータの構成図である。
【図３】図１に示すセンタ管理コンピュータの構成図である。
【図４】図１に示すＳＩＰサーバの構成図である。
【図５】図１に示すインターネットカフェに備える中継ＶＯＤサーバとセットトップボックスの一実施例による構成図である。
【符号の説明】
【００４６】
７    公衆電話回線網
８    ＶＯＩＰゲートウェイ
９    インターネット（ＩＰ通信回線網）
１０    ＩＰ電話・画像サービスセンタ
１１    センタ管理コンピュータ
１２    Ｗｅｂサーバ
１３    アプリケーションサーバ
１４    センタデータベース
１５    ＳＩＰサーバ
１６    ストリーミングサーバ
１７    音楽・ビデオ画像ソフトデータベース
２０    インターネットカフェ（Ａ）、（Ｂ）、（Ｃ）…
２１    カフェ管理コンピュータ
２２    発行機
２２ａ    現金収納器
２２ｂ    プリンタ
２２ｃ    入力画面
２３、５４、９１、１０１    ＣＰＵ
２４、５５、９４    記憶装置
２５、５７    入力装置
２６、５３    表示装置
２８、３８、４８    端末利用登録ボタン
２９    ＡＤＳＬモデム
３１    ＩＰ電話端末
３２    多機能電話機
３３、４３、６１    ＩＰ−ＰＢＸ或はＶＯＩＰアダプタ
４１    パソコンＩＰ端末
４２    パソコン（パーソナルコンピュータ）
４２ａ    ＣＣＤビデオカメラ
４２ｂ    インターネット電話ソフト
５１    パソコン画像端末
５２    ＣＤ・ＤＶＤ記録装置
５６    ＶＯＩＰアダプタ
５９、９９    ＡＤＳＬモデム及びブロードバンドルータ
６０    企業内又は個人のコンピュータシステム
６２    多機能電話機、及び／又はパソコンＩＰ端末
７０    一般電話機
８０    携帯電話
８１    ビデオカメラ（ＣＣＤ）
８２    ビデオ表示部
９０    中継ＶＯＤサーバ
９５、１０５    Ｗｅｂサーバ機能
９６    ストリーミングサーバ機能
９７、１０３    音声・画像コーデック（エンコーダ／デコーダ）
９８、１０４    通信制御部
１００    セットトップボックス（ビデオゲートウェイ）
１０６    音声・画像インターフェース
１０７    入出力インターフェース
【図１】
2007081757.tif 000003
【図２】
2007081757.tif 000004
【図３】
2007081757.tif 000005
【図４】
2007081757.tif 000006
【図５】
2007081757.tif 000007